(57)【要約】【課題】勧誘電話や迷惑電話への掛け直しを防止する。【解決手段】電話機１０に着信があると、電話機１０は、着信信号より発信者電話番号を取得し着信履歴を作成する。電話機１０は、着信履歴にある発信者電話番号に関する加入者情報、すなわち発信者の名前や住所及び迷惑電話番号を含む加入者情報、を取得のため、情報提供事業者の情報提供サーバ３０にアクセスする。情報提供サーバ３０は、加入者情報データベース４０から、当該発信者電話番号に関する加入者情報を検索し、検索された加入者情報をユーザの電話機１０に送信する。情報提供サーバ３０は、ユーザに加入者情報を送信する毎に、使用料金を当該ユーザに課金する。【選択図】      図１
2004179991.tif 000002
【特許請求の範囲】
【請求項１】
インターネットと、インターネットに接続されるユーザ電話機と、加入者情報提供事業者の、インターネットに接続され電話の加入者情報を提供する加入者情報提供サーバとを有する加入者情報提供システムであって、
前記ユーザ電話機は、着信信号を受けると、この着信信号から発信者電話番号を取得し、取得された発信者電話番号を着信履歴として着信履歴記憶部に記憶し、着信履歴として記憶されている発信者電話番号に関する加入者情報についての加入者情報問合せを、インターネットを介して、前記加入者情報提供サーバに送信する手段を有し、
前記加入者情報提供サーバは、加入者情報を記憶する加入者情報データベースを備え、前記ユーザ電話機から、インターネットを介して、加入者情報問合せを受けると、前記加入者情報データベースから当該加入者情報を検索し、インターネットを介して、検索された加入者情報を前記ユーザ電話機に送信する手段を有し、
前記ユーザ電話機は、さらに、前記加入者情報提供サーバからインターネットを介して送られてくる加入者情報を受信して表示する手段を有することを特徴とする加入者情報提供システム。
【請求項２】
前記加入者情報提供サーバは、検索された加入者情報を前記ユーザ電話機に送信するとき、前記ユーザ電話機のユーザに使用料金を課金する手段を有することを特徴とする請求項１記載の加入者情報提供システム。
【請求項３】
前記加入者情報データベースは、市外局番を含む電話番号毎に、氏名、住所を示す情報と、迷惑電話する加入者の電話番号とその加入者の特徴を示す情報とを記憶することを特徴とする請求項１記載の加入者情報提供システム。
【請求項４】
前記ユーザ電話機は、前記加入者情報提供サーバへ加入者情報問合せを送信するとき、ユーザの認証情報を加入者情報問合せに含めて送信し、
前記加入者情報提供サーバは、ユーザの認証情報を含む加入者情報問合せを受信し、ユーザの認証情報に基づいてユーザを認証して、前記加入者情報データベースから当該加入者情報を検索し、インターネットを介して、検索された加入者情報を前記ユーザ電話機に送信することを特徴とする請求項１記載の加入者情報提供システム。
【請求項５】
前記ユーザ電話機は、加入者情報提供事業者から加入者情報提供サービスを受けるため、前記加入者情報提供サーバに対して、自己の認証情報を送り登録要求をし、
前記加入者情報提供サーバは、前記ユーザ電話機から登録要求を受けると、当該ユーザを登録し、登録料金を当該ユーザに課金することを特徴とする請求項１記載の加入者情報提供システム。
【請求項６】
インターネットと、インターネットに接続されるユーザ電話機と、加入者情報提供事業者の、インターネットに接続され電話の加入者情報を提供する加入者情報提供サーバとを備えて、ユーザ電話機に加入者情報を提供する加入者情報提供方法であって、
前記ユーザ電話機は、加入者情報提供事業者から加入者情報提供サービスを受けるため、前記加入者情報提供サーバに対して、ユーザの認証情報を送り登録要求をし、
前記加入者情報提供サーバは、前記ユーザ電話機から登録要求を受けると、当該ユーザを登録し、登録料金を当該ユーザに課金し、
前記ユーザ電話機は、着信信号を受けると、この着信信号から発信者電話番号を取得し、取得された発信者電話番号を着信履歴として記憶し、着信履歴として記憶されている発信者電話番号に関する加入者情報についての加入者情報問合せとユーザの認証情報を、インターネットを介して、前記加入者情報提供サーバに送信し、
前記加入者情報提供サーバは、前記ユーザ電話機から、ユーザの認証情報と加入者情報問合せとを受けると、ユーザの認証情報に基づいてユーザを認証し、市外局番を含む電話番号毎に氏名と住所を示す情報と迷惑電話する加入者の電話番号とその加入者の特徴を示す情報とを記憶する加入者情報データベースから、当該加入者情報を検索し、検索された加入者情報を前記ユーザ電話機にインターネットを介して送信し、前記ユーザ電話機のユーザに使用料金を課金し、
前記ユーザ電話機は、前記加入者情報提供サーバからインターネットを介して送られてくる加入者情報を受信して表示することを特徴とする加入者情報提供報方法。
【発明の詳細な説明】
【０００１】
【発明の属する技術分野】
本発明は、発信者の氏名や住所及び迷惑電話番号を含む加入者情報を提供するシステムとその方法に関する。
【０００２】
【従来の技術】
従来、電話機に着信があると、電話機は、着信信号から発信者の電話番号を抽出し、この電話番号により、加入者の氏名と住所が登録されている加入者情報登録装置から発信者名と住所を検索し、この発信者名を電話機に表示して発信者を特定するという技術が開示されている（例えば、特許文献１と特許文献２参照）。
【０００３】
【特許文献１】
特開平９−２３２６５号公報（第１−４頁、図１）
【特許文献２】
特開平２００１−２９２２３５号公報（第１−８頁、図１、２）
【０００４】
【発明が解決しようとする課題】
しかしながら、従来の技術では、電話機に着信して、ただちに切断する発信者、いわゆるワン切りをする発信者や、悪質勧誘をする発信者を特定することは出来ない。なぜなら、従来の技術では、登録されている加入者の氏名と住所と発信者電話番号を電話機に表示するだけで、発信者電話番号の特徴情報、たとえば、発信者電話番号Ａは、ワン切り常習者の電話番号で、発信者電話番号Ｂは、悪質勧誘者の電話番号であるという様な迷惑電話番号情報を電話機に表示することは無い。
【０００５】
したがって、着信を受けた加入者は、勧誘電話や迷惑電話に対しての応答及び迷惑電話に対しての掛け直しをすることにより、トラブルに巻き込まれるという課題を有する。
【０００６】
本発明の目的は、従来のこの様な課題を解決し、勧誘電話や迷惑電話への掛け直しを防止するための加入者情報提供システムと加入者情報提供方法を提供することにある。
【０００７】
【課題を解決するための手段】
本発明の加入者情報提供システムは、インターネットと、インターネットに接続されるユーザ電話機と、加入者情報提供事業者の、インターネットに接続され電話の加入者情報を提供する加入者情報提供サーバとを有する加入者情報提供システムであって、
前記ユーザ電話機は、着信信号を受けると、この着信信号から発信者電話番号を取得し、取得された発信者電話番号を着信履歴として着信履歴記憶部に記憶し、着信履歴として記憶されている発信者電話番号に関する加入者情報についての加入者情報問合せを、インターネットを介して、前記加入者情報提供サーバに送信する手段を有し、
前記加入者情報提供サーバは、加入者情報を記憶する加入者情報データベースを備え、前記ユーザ電話機から、インターネットを介して、加入者情報問合せを受けると、前記加入者情報データベースから当該加入者情報を検索し、インターネットを介して、検索された加入者情報を前記ユーザ電話機に送信する手段を有し、
前記ユーザ電話機は、さらに、前記加入者情報提供サーバからインターネットを介して送られてくる加入者情報を受信して表示する手段を有することを特徴とする。
【０００８】
また、本発明の加入者情報提供システムは、前記加入者情報提供サーバが、検索された加入者情報を前記ユーザ電話機に送信するとき、前記ユーザ電話機のユーザに使用料金を課金する手段を有することを特徴とする。
【０００９】
さらに、本発明の加入者情報提供システムは、前記加入者情報データベースが、市外局番を含む電話番号毎に、氏名、住所を示す情報と、迷惑電話する加入者の電話番号とその加入者の特徴を示す情報とを記憶することを特徴とする。
【００１０】
また、本発明の加入者情報提供システムは、前記ユーザ電話機が、前記加入者情報提供サーバへ加入者情報問合せを送信するとき、ユーザの認証情報を加入者情報問合せに含めて送信し、
前記加入者情報提供サーバは、ユーザの認証情報を含む加入者情報問合せを受信し、ユーザの認証情報に基づいてユーザを認証して、前記加入者情報データベースから当該加入者情報を検索し、インターネットを介して、検索された加入者情報を前記ユーザ電話機に送信することを特徴とする。
【００１１】
さらに、本発明の加入者情報提供システムは、前記ユーザ電話機が、加入者情報提供事業者から加入者情報提供サービスを受けるため、前記加入者情報提供サーバに対して、自己の認証情報を送り登録要求をし、
前記加入者情報提供サーバは、前記ユーザ電話機から登録要求を受けると、当該ユーザを登録し、登録料金を当該ユーザに課金することを特徴とする。
【００１２】
また、本発明の加入者情報提供方法は、インターネットと、インターネットに接続されるユーザ電話機と、加入者情報提供事業者の、インターネットに接続され電話の加入者情報を提供する加入者情報提供サーバとを備えて、ユーザ電話機に加入者情報を提供する加入者情報提供方法であって、
前記ユーザ電話機は、加入者情報提供事業者から加入者情報提供サービスを受けるため、前記加入者情報提供サーバに対して、ユーザの認証情報を送り登録要求をし、
前記加入者情報提供サーバは、前記ユーザ電話機から登録要求を受けると、当該ユーザを登録し、登録料金を当該ユーザに課金し、
前記ユーザ電話機は、着信信号を受けると、この着信信号から発信者電話番号を取得し、取得された発信者電話番号を着信履歴として記憶し、着信履歴として記憶されている発信者電話番号に関する加入者情報についての加入者情報問合せとユーザの認証情報を、インターネットを介して、前記加入者情報提供サーバに送信し、
前記加入者情報提供サーバは、前記ユーザ電話機から、ユーザの認証情報と加入者情報問合せとを受けると、ユーザの認証情報に基づいてユーザを認証し、市外局番を含む電話番号毎に氏名と住所を示す情報と迷惑電話する加入者の電話番号とその加入者の特徴を示す情報とを記憶する加入者情報データベースから、当該加入者情報を検索し、検索された加入者情報を前記ユーザ電話機にインターネットを介して送信し、前記ユーザ電話機のユーザに使用料金を課金し、
前記ユーザ電話機は、前記加入者情報提供サーバからインターネットを介して送られてくる加入者情報を受信して表示することを特徴とする。
【００１３】
【発明の実施の形態】
本発明の実施の形態について図面を参照して詳細に説明する。
【００１４】
図１は、本発明による情報提供システムの構成図で、図２は、第１実施形態による電話機のブロッツク構成図で、図３は、情報提供サーバのブロック構成図である。
【００１５】
図１を参照して、本発明の第１実施形態による情報提供システムは、ユーザの電話機１０と、情報提供事業者の情報提供サーバ３０と加入者情報データベース４０と、電話機１０と情報提供サーバ３０を相互に接続する通信ネットワーク２０とを有して構成される。
【００１６】
通信ネットワーク２０は、インターネットである。
【００１７】
図２を参照して、ユーザの電話機１０は、インターネット接続機能を有し、電話機１０への着信信号を処理する着信部１１と、通話信号を送信処理する送信部１２と、着信信号より発信者電話番号を取得する発信者電話番号取得部１３と、取得される発信者電話番号の着信履歴を記憶する着信履歴記憶部１４と、着信履歴記憶部１４から読み出される発信者電話番号の着信履歴を表示するとともに、情報提供サーバー３０からの加入者情報を表示する表示部１５と、ユーザが、所望する発信者電話番号に関する加入者情報の問合せを入力するとともに、ユーザが、電話の接続と切断のための入力をする操作入力部１６とを有して構成される。
電話機１０は、携帯電話機と固定電話機とのいずれでもよい。
【００１８】
図３を参照して、情報提供サーバ３０は、応答部３１と、ユーザ登録部３２と、認証部３３と、課金部３４と、検索部３５と有して構成される。
【００１９】
応答部３１は、ユーザの電話機１０から、発信者電話番号に関する加入者情報の問合せを受け、この問合せを受けた旨を認証部３３に通知する。また、応答部３１は、検索部３５により検索される発信者電話番号に関する加入者情報をユーザの電話機１０に送る。また、応答部３１は、当該加入者情報をユーザの電話機１０に送信した旨を課金部３４に通知する。
【００２０】
ユーザ登録部３２は、予めユーザを登録する。
【００２１】
認証部３３は、発信者電話番号に関する加入者情報の問合せをするユーザを、ユーザ登録部３２を使用して、認証し、そして、検索部３５に加入者情報データベース４０を検索するよう検索部３５に指示する。
【００２２】
検索部３５は、認証部３３からの指示により、加入者情報データベース４０から、当該発信者電話番号に関する加入者情報を検索し、検索された加入者情報を応答部３１へ送る。
【００２３】
課金部３４は、ユーザ登録部３２にユーザが登録されるとき、登録料金を当該ユーザに課金するとともに、応答部３１がユーザに加入者情報を送信する毎に、使用料金を当該ユーザに課金する。
【００２４】
加入者情報データベース４０は、市外局番を含む電話番号毎に、氏名、住所を示す情報と、迷惑電話する加入者の電話番号（以降、迷惑電話番号）とその加入者の特徴を示す情報とを含む加入者情報を有する。
【００２５】
次に、本発明の実施形態の動作について図面を参照して詳細に説明する。
【００２６】
図４は、情報提供サービスの全体フローチャートで、図５は、情報提供サーバから加入者情報を取得するときのフローチャートで、図６は、情報提供サーバの動作フローチャートである。
【００２７】
図４と図５と図６を主体に、図１と図２と図３を併せ参照して動作を説明する。
【００２８】
まず、ユーザは、事前に情報提供事業者と契約し、ユーザ登録する。
すなわち、ユーザは、電話機１０から、情報提供事業者の情報提供サーバ３０に対して、自己の認証情報を送り、登録要求をする。
【００２９】
情報提供サーバ３０は、ユーザから登録要求を受けると、情報提供サーバ３０のユーザ登録部３２が、当該ユーザを登録し、そして、課金部３４が、登録料金を当該ユーザに課金する。
【００３０】
図４を参照して、ユーザの電話機１０に着信がある（ステップＢ１）と、電話機１０は、着信信号より発信者電話番号を取得する（ステップＢ２）。
【００３１】
電話機１０の着信履歴記憶部１４は、取得された発信者電話番号を記憶し、着信履歴を作成する（ステップＢ３）。
【００３２】
ユーザが、着信履歴を表示するため操作入力部１６から入力すると、表示部１５は、着信履歴記憶部１４に記憶されている発信者電話番号を表示する。さらに、ユーザは、表示部１５に表示される着信履歴のうちから、加入者情報を所望する発信者電話番号を選び、加入者情報を問合せのための入力を操作入力部１６から行う。
【００３３】
電話機１０は、当該発信者電話番号に関する加入者情報を取得のため、情報提供サーバ３０にアクセスする（ステップＢ４）。
【００３４】
図５を参照して、ステップＢ４を詳細に述べる。
【００３５】
電話機１０は、通信ネットワーク（インターネット）２０に接続し（ステップＣ１）、ユーザが加入者情報を所望する発信者電話番号とユーザの認証情報を含む加入者情報問合せを、通信ネットワーク（インターネット）２０を介して、情報提供サーバ３０に送る（ステップＣ２、ステップＣ３）。
【００３６】
情報提供サーバ３０は、電話機１０から、ユーザが加入者情報を所望する発信者電話番号とユーザの認証情報を含む加入者情報問合せを受けると（ステップＣ４）、サーバ処理を始める（ステップＣ５）。
【００３７】
図６を参照して、サーバ処理（ステップＣ５）を詳細に述べる。
【００３８】
情報提供サーバ３０の応答部３１は、ユーザの電話機１０から、発信者電話番号に関する加入者情報の問合せを受け、この問合せを受けた旨を認証部３３に通知する。
【００３９】
認証部３３は、応答部３１から通知を受け、ユーザの電話機１０が、ユーザ登録部３２に、登録されているかを調べ（ステップＤ１）、登録されているとき、このユーザを認証し（ステップＤ２）、そして、検索部３５に加入者情報データベース４０を検索するよう検索部３５に指示する。
【００４０】
検索部３５は、認証部３３からの指示により、加入者情報データベース４０から、当該発信者電話番号に関する加入者情報を検索し（ステップＤ３）、検索された加入者情報を応答部３１へ送る。
【００４１】
応答部３１は、検索部３５により検索される発信者電話番号に関する加入者情報を、通信ネットワーク（インターネット）２０を介して、ユーザの電話機１０に送信する（ステップＤ４）。また、応答部３１は、当該加入者情報をユーザの電話機１０に送信した旨を課金部３４に通知する。
【００４２】
課金部３４は、応答部３１がユーザに加入者情報を送信する毎に、使用料金を当該ユーザに課金する（ステップＤ５）。
【００４３】
ユーザの電話機１０は、通信ネットワーク（インターネット）２０を介して、情報提供サーバー３０からの加入者情報を受信し、この加入者情報を表示する（図４のステップＢ５）。
【００４４】
電話機１０のユーザは、受信する加入者情報に基づいて、この加入者情報を有する発信者に電話をかけ直すか判断することが出来る。もし、この加入者情報が、迷惑電話の常習者であることを示す場合、電話機１０のユーザは、電話をかけ直すことをしないで、トラブルを回避することが出来る。
【００４５】
次に、第２実施形態を説明する。
【００４６】
図７は、第２実施形態による電話機のブロック構成図である。
【００４７】
第２実施形態では、発信者電話番号の検索を自動化している。
【００４８】
第２実施形態による情報提供システムは、図１と同じであるが、ユーザの電話機１０−１が第１実施形態と異なる。
【００４９】
ユーザの電話機１０−１は、図７に示されるように、インターネット接続機能を有し、着信部１１と、送信部１２と、発信者電話番号取得部１３と、電話番号を記憶する電話帳１８を有し、電話帳１８から当該電話番号を自動検索する電話帳自動検索部１７と、自動で発信者電話番号に関する加入者情報を問合せする自動問合部１９と、表示部１５と、操作入力部１６とを有して構成される。着信部１１と送信部１２と発信者電話番号取得部１３と表示部１５と操作入力部１６とは、第１実施形態による情報提供システムの電話機１０のものと同じである。
【００５０】
動作を説明する。
【００５１】
ユーザの電話機１０−１に着信があると、発信者電話番号取得部１３は、着信信号より発信者電話番号を取得する。
【００５２】
次に、電話帳自動検索部１７は、取得された発信者電話番号が電話帳１８に登録されているかを調べ、登録されていないとき、取得された発信者電話番号が登録されていない旨を自動問合部１９に通知する。
【００５３】
自動問合部１９は、電話帳自動検索部１７からの通知を受けると、通信ネットワーク（インターネット）２０を介して情報提供サーバ３０へアクセスし、当該発信者電話番号に関する加入者情報の問合せを情報提供サーバ３０に送信する。
【００５４】
情報提供サーバ３０は、加入者情報の問合せを受けると、加入者情報データベース４０から、当該発信者電話番号に関する加入者情報を検索し、検索された加入者情報を、通信ネットワーク（インターネット）２０を介して、ユーザの電話機１０−１に送信する。
【００５５】
ユーザの電話機１０−１は、通信ネットワーク（インターネット）２０を介して、情報提供サーバ３０からの加入者情報、すなわち発信者の氏名、住所や迷惑電話番号を含む加入者情報を受信し、この加入者情報を表示部１５に表示する。
【００５６】
【発明の効果】
以上説明したように、本発明は、電話機に着信があった場合、電話機が着信信号から発信者電話番号を取得し、この発信者電話番号に基づいて、インターネットに接続されている情報提供サーバから、この発信者電話番号に関する発信者の名前や住所及び迷惑電話番号を含む加入者情報を取得できるよう構成されているので、ユーザは、発信者を判別することができ、勧誘電話や有料サービス電話等の迷惑電話への掛け直しを防止することが出来るという効果がある。
【００５７】
【図面の簡単な説明】
【図１】本発明による情報提供システムの構成図である。
【図２】第１実施形態による電話機のブロック構成図である。
【図３】情報提供サーバのブロック構成図である。
【図４】情報提供サービスの全体フローチャートである。
【図５】情報提供サーバから加入者情報を取得するときのフローチャートである。
【図６】情報提供サーバの動作フローチャートである。
【図７】第２実施形態による電話機のブロック構成図である。
【符号の説明】
１０    電話機
１１    着信部
１２    送信部
１３    発信者電話番号取得部
１４    着信履歴記憶部
１５    表示部
１６    操作入力部
２０    通信ネットワーク（インターネット）
３０    情報提供サーバ
３１    応答部
３２    ユーザ登録部
３３    認証部
３４    課金部
３５    検索部
４０    加入者情報データベース
【図１】
2004179991.tif 000003
【図２】
2004179991.tif 000004
【図３】
2004179991.tif 000005
【図４】
2004179991.tif 000006
【図５】
2004179991.tif 000007
【図６】
2004179991.tif 000008
【図７】
2004179991.tif 000009